【事件の表示】
　特許第２８９７３７７号「波形信号形成装置」の特許に対する特許異議の申立てについて、次のとおり決定する。
【結　論】
　訂正を認める。
　特許第２８９７３７７号の特許を維持する。
【理　由】
［１］手続の経緯
　本件特許２８９７３７７号の発明は、平成２年８月３０日に特許出願され、平成１１年３月１２日にその特許の設定登録がなされ、その後、村瀬静枝および桜井美恵子より特許異議の申立がなされ、取消理由が通知され、その指定期間内である平成１２年４月２８日に訂正請求がなされたものである。
［２］訂正の適否についての判断
［２−１］訂正明細書の発明
　訂正明細書の特許請求の範囲の請求項１に係る発明は、その特許請求の範囲の請求項１に記載された次のとおりのものである。
「【請求項１】
　波形サンプルデータを圧縮した差分データを記憶しておいて、同記憶しておいた差分データを用いて圧縮前の波形サンプルデータを順次再現する波形信号形成装置において、
　差分データを記憶した差分データメモリと、
　差分データに基づいて復元した複数の波形サンプルデータを時系列的に記憶するための波形サンプルデータ記憶手段と、
　発生される楽音の音高に対応した位相増分値を所定のタイミング毎に累算する累算手段と、
　上記累算手段によって累算された累算値の上位のデータが歩進される毎に、上記累算手段によって累算された累算値の上位のデータを用いて上記差分データメモリに対するアドレスを生成し、同生成されたアドレスに従って同差分データメモリに記憶されている差分データを順次読出す読出し制御手段と、
　上記累算手段によって累算された累算値の上位のデータが歩進される毎に、上記読出し制御手段によって読出された差分データと上記波形サンプルデータ記憶手段に記憶されている複数の波形サンプルデータとを用いて所定の演算により圧縮前の波形サンプルデータを復元するとともに同復元した波形サンプルデータを上記波形サンプルデータ記憶手段に順次記憶させる復元手段と、
　上記所定のタイミング毎に、上記波形サンプルデータ記憶手段に記憶されている複数の波形サンプルデータと上記累算手段によって累算された累算値の下位のデータとを用いて所定の補間演算により所定の位相値に対応した波形サンプルデータを導出する補間手段と
を備えたことを特徴とする波形信号形成装置。」
［２−２］訂正の目的の適否、新規事項の有無及び拡張・変更の存否
　特許権者が求めている訂正の内容は、請求項１を上記請求項１にように訂正し、対応する詳細な説明の項の記載を訂正するものである。以下、詳細に検討する。
（ａ）訂正明細書の請求項１は、もとの特許明細書の請求項１の「読出し制御手段」「復元手段」に、「上記累算手段によって累算された累算値の上位のデータが歩進される毎に、」の記載を追加し、「補間手段」に、「上記所定のタイミング毎に、」の記載を追加するもので、これらは、明細書の記載（特許公報の第５欄第２９行〜第６欄第１０行、同第６欄第３８行〜第４１行、同第５欄第１８行〜第２３行、同第６欄第５０行〜第７欄第２３行）の記載に基づいて、「読出し制御手段」「復元手段」「補間手段」の構成を限定することにより、特許請求の範囲の減縮を行うものである。
（ｂ）発明の詳細な説明の項の「課題を解決するための手段」と「発明の作用及び効果」の段落の記載を、上記（ａ）の訂正にともない訂正するものであり、特許請求の範囲の減縮に伴うものである。
　したがって、上記訂正は、特許明細書の記載に基づいて、特許請求の範囲を更に限定し、特許請求の範囲の減縮に該当するものであって、新規事項の追加に該当せず、実質的に特許請求の範囲を拡張又は変更するものではない。
［２−３］独立特許要件の判断
［２−３−１］引用刊行物
　本件発明に対して、当審が通知した取消理由で引用した刊行物１（特開昭６２−１１５１９４号公報）には、「電子楽器の波形発生装置」に関し、
（ア）「波形を標本化して得た各標本値間の差分値を記憶している波形メモリと、上記波形の標本点間を補間するための補間フィルタのインパルスレスポンスを標本化して得た各標本値の積分値を記憶している補間メモリと、上記波形メモリと上記補間メモリのそれぞれに記憶された値を用いて畳み込み演算を行なう演算手段とを具備し、上記波形メモリから読み出された波形のピッチを適宜変更制御しうるようにした電子楽器の波形発生装置。」（特許請求の範囲）
（イ）「第１図に示すように、この実施例は、波形メモリ１２を有している。この波形メモリ１２は第５図に示す各標本値の差分・・・これらアドレスは、第５図のアドレスの整数部に相当するものである。」（第４頁左下欄第５行〜第１０行）、
（ウ）「波形メモリ１２から差分値を読み出すためのアドレスは、・・・読み出された各差分値は、累算器２４，乗算器２６に供給される。」（第５頁左上欄第１１行〜第１８行）、
（エ）「３２は増分レジスタで、これは整数部３２ａと小数部３２ｂからなり、・・・音質が極端に変わるので、２倍以上にすることはないからである。」（第５頁右上欄第５行〜左下欄第８行）、
（オ）「この実施例は、他にマルチプレサ３８を有している。・・・アドレス累算器２８は、第２図（ａ）に示す標本化周波数と同じ周波数のＴＳ信号が入力されるごとに、増分レジスタ３２の小数部３２ｂの記憶値を累算し、その累算値を送出する。累算器２４は、マルチプレクサ３８から・・・累算器５０には送出されない。」（第５頁左下欄第９行〜第６頁左上欄第１０行）、
（力）「以下、同様にカウンタ１８のカウント値が変化していくごとに、・・・波形メモリ１０からｄ１が読み出され、累算器２４に供給される。累算器２４は、これを累算する。従って、累算器２４の累算値はＹ１となる。・・・アドレスのＰｙが補間される。」（第６頁右下欄第４行〜第７頁左上欄第１９行）と記載されている。
［２−３−２］対比・判断
　請求項１に係る発明と、刊行物１に記載された発明と対比すると、刊行物１の「波形発生装置」「波形メモリ」「増分レジスタとアドレス累算器２８」「マルチプレクサとカウンタ２０と加算器２２とカウンタ１８」は、それぞれ請求項１に係る発明の「波形信号形成装置」「差分データメモリ」「累算手段」「差分データを順次読み出す読出し制御手段」に相当している。また、刊行物１の「累算器２４」は、請求項１に係る発明の「波形サンプルデータ記憶手段」「復元手段」に対応し、刊行物１の「反転器と補間メモリと乗算器２６と制御回路とバッファと累算器２４と累算器５０」が、請求項１に係る発明の「補間手段」に対応している。
　両者は、「波形サンプルデータを圧縮した差分データを記憶しておいて、同記憶しておいた差分データを用いて波形サンプルデータを再現する波形信号形成装置において、差分データを記憶した差分データメモリと、差分データに基づいて復元した波形サンプルデータを記憶するための波形サンプルデータ記憶手段と、発生される楽音の音高に対応した位相増分値を所定のタイミング毎に累算する累算手段と、上記累算手段によって累算された累算値の上位のデータを用いて上記差分データメモリに対するアドレスを生成し、同生成されたアドレスに従って同差分データメモリに記憶されている差分データを順次読出す読出し制御手段と、上記読出し制御手段によって読出された差分データと上記波形サンプルデータ記憶手段に記憶されている波形サンプルデータとを用いて所定の演算により圧縮前の波形サンプルデータを復元するとともに同復元した波形サンプルデータを上記波形サンプルデータ記憶手段に記憶させる復元手段と、上記所定のタイミング毎に、所定の補間演算により所定の位相値に対応した波形サンプルデータを導出する補間手段とを備えた波形信号形成装置。」であるという基本的な点で共通している。
　しかしながら、請求項１に係る発明は、上記「波形サンプルデータ記憶手段」が、「復元した複数の波形サンプルデータを時系列的」に記憶するものであって、上記「復元手段」が、「差分データと波形サンプルデータ記憶手段に記憶されている複数の波形サンプルデータとを用いて」圧縮前の波形サンプルデータを復元するものであり、上記「補間手段」が、「波形サンプルデータ記憶手段に記憶されている複数の波形サンプルデータ」を用いて補間演算することを必須の構成（以下。構成［Ａ］という）とするのに対し、刊行物１に記載された発明は、「復元手段」を兼ねる「波形サンプルデータ記憶手段」が、波形サンプルデータを順次更新記憶するが、同時的には１つのサンプルデータ値しか記憶しておらず、「補間手段」が、波形サンプル記憶手段に記憶されている１つの波形サンプルデータを用いて補間演算するものであって、構成［Ａ］について記載されていない。
　そして、請求項１に係る発明は、「波形サンプルデータ記憶手段」が復元した複数の波形サンプルデータを時系列的に記憶するように構成することで、「波形サンプルデータ記憶手段」を、差分データを用いて圧縮前の波形サンプルデータを復元するためと、波形サンプルデータを補間するためとの両方の演算に共通に利用するようにしたものであるのに対し、刊行物１に記載された発明は、むしろ、差分データメモリから圧縮前の波形サンプルデータを復元することなく、所定の位相値に対応した補間された波形サンプルデータを演算することを目的とするものであって、その際、差分データメモリから圧縮前の波形サンプルデータを同時的には１つだけ復元して演算に用いているが、補間手段は、本質的には差分データを直接用いて補間演算するものである。
　してみると、刊行物１に、波形サンプルデータ記憶手段を、復元した複数の波形サンプルデータを用いて圧縮前の波形サンプルデータを復元するためと、同復元した複数の波形サンプルデータを用いて補間演算するために用いるという思想がない以上、刊行物１に記載された発明のものにおいて、その波形サンプルデータ記憶手段の構成を「復元した複数の波形サンプルデータを時系列的」に記憶するものとし、「復元手段」および「補間手段」を含めた構成を構成［Ａ］とすることは、当業者にとって困難というべきである。
　そして、上記構成［Ａ］により、請求項１に係る発明の装置は、明細書に記載の、「ハードウエアの構成を省略することができるとともに、両演算によって最終的な波形サンプルデータが再現されるまでの時間を短縮することができる」（特許公報第４欄第４６〜４９行）という効果を奏するものである。
　よって、請求項１に係る発明が刊行物１に記載された発明であるとも、刊行物１に記載された発明に基づいて容易に発明をすることができたものともいえない。
［２−３−３］
　したがって、請求項１に係る発明は特許出願の際独立して特許を受けることができない発明とすることはできない。
［２−４］　以上のとおりであるから、上記訂正請求は、特許法第１２０条の４第２項及び第３項で準用する特許法第１２６条第２項ないし第４項、及び特許法等の一部を改正する法律（平成６年法律第１１６号）附則第６条第１項の規定に適合するので、当該訂正を認める。
［３］特許異議の申立についての判断
［３−１］申立人村瀬静枝の申立の理由の概要
　申立人村瀬静枝は、請求項１に係る発明の特許に対して、甲第１号証（上記刊行物１）を提出し、請求項１に係る発明についての特許は、特許法第２９条第１項または第２項の規定に違反してなされたものであるので、特許を取り消すべきものと主張している。
［３−１−２］判断
　特許明細書の請求項１に係る発明は、上記訂正明細書の請求項１に記載されたとおりに訂正され、上記［２−３−２］で判断したように、甲第１号証に記載された発明と同一ではなく、甲第１号証に記載された発明に基づいて容易に発明をすることができたものでもない。
［３−２］申立人桜井美恵子の申立の理由の概要
　申立人桜井美恵子は、請求項１に係る発明の特許に対して、甲第１号証（特開昭６２−２０４６２５号公報）および参考資料１、２を提出し、請求項１に係る発明についての特許は、特許法第２９条第１項または第２項の規定に違反してなされたものであるので、特許を取り消すべきものと主張している。
［３−２−２］対比判断
　桜井美恵子の提出した甲第１号証は、「雑音除去装置」に関し、「信号中の雑音の混入した期間を補間して信号を補正する方式において雑音を混入する以前の信号の情報から推定した信号を合成して補間することにより補間の期間が長い場合や音声などの複合波形でも補正効果を高めることができる手法を提供するものである。」（第２頁左上欄第５行〜第１０行）、「音声、音楽などの複合波形でも補正効果を高めることができる」（第３頁右下欄第２行〜第３行）と記載されている。
　請求項１に係る発明と、桜井美恵子の提出した甲第１号証に記載された発明とを対比してみると、構成［Ａ］（上記［２−３−２］参照）は、桜井美恵子の提出した甲第１号証に記載されておらず、示唆もない。また、上記構成［Ａ］は、上記参考資料１、２にも記載されていない。
　したがって、請求項１に係る発明は、甲第１号証に記載された発明と同一ではなく、甲第１号証に記載された発明に基づいて容易に発明をすることができたものでもない。
［４］むすび
　以上のとおりであるから、特許異議申立の理由及び証拠によっては、異議申立された特許明細書の請求項１に係る発明の特許を取り消すことはできない。
　また、他に特許明細書の請求項１に係る発明の特許を取り消すべき理由を発見しない。
　よって、結論のとおり決定する。
【異議決定日】
平成１２年５月２５日（２０００．５．２５）
【訂正の要旨】
イ．訂正事項ａ
　特許請求の範囲を下記のとおり訂正する。
「（特許請求の範囲）
　波形サンプルデータを圧縮した差分データを記憶しておいて、同記憶しておいた差分データを用いて圧縮前の波形サンプルデータを順次再現する波形信号形成装置において、
　差分データを記憶した差分データメモリと、
　差分データに基づいて復元した複数の波形サンプルデータを時系列的に記憶するための波形サンプルデータ記憶手段と、
　発生される楽音の音高に対応した位相増分値を所定のタイミング毎に累算する累算手段と、
　
上記累算手段によって累算された累算値の上位のデータが歩進される毎に、
　
上記累算手段によって累算された累算値の上位のデータが歩進される毎に、
　
上記所定のタイミング毎に、
を備えたことを特徴とする波形信号形成装置。」
ロ．訂正事項ｂ
　前記特許請求の範囲の訂正に伴い、出願明細書の第４頁第１４行〜第５頁第９行（本件特許公報第２頁第３コラム第４６行〜同頁第４コラム第１９行）の記載を下記のとおり訂正する。
「【課題を解決するための手段】
　上記目的を達成するために、本発明の構成上の特徴は、所定の演算によって波形サンプルデータを圧縮した差分データを記憶しておいて、同記憶しておいた差分データを用いて圧縮前の波形サンプルデータを順次再現する波形信号形成装置において、差分データを記憶した差分データメモリと、差分データに基づいて復元した複数の波形サンプルデータを時系列的に記憶するための波形サンプルデータ記憶手段と、発生される楽音の音高に対応した位相増分値を所定のタイミング毎に累算する累算手段と、
累算手段によって累算された累算値の上位のデータが歩進される毎に、
累算手段によって累算された累算値の上位のデータが歩進される毎に、
所定のタイミング毎に
ハ．訂正事項ｃ
　前記特許請求の範囲の訂正に伴い、出願明細書の第５頁第１０行〜第６頁第１０行（本件特許公報第２頁第４コラム第２０行〜同コラム第４９行）の記載を下記のとおり訂正する。
「【発明の作用及び効果】
　上記のように構成した本発明においては、累算手段に発生される楽音の音高に対応した位相増分値が与えられると、同累算手段は前記位相増分値を所定のタイミング毎に累算し、読出し制御手段は、
前記累算された累算値の上位のデータが歩進される毎に、
前記累算された累算値の上位のデータが歩進される毎に、
所定のタイミング毎に、
　このように、本発明によれば、複数の時系列的な波形サンプルデータ及び同複数の波形サンプルデータを記憶するための波形サンプルデータ記憶手段が、差分データに基づいて波形サンプルデータを復元するためと、波形サンプルデータを補間するための両方の演算に共通に利用される。したがって、ハードウェアの構成を省略することができるとともに、両演算によって最終的な波形サンプルデータが再現されるまでの時間を短縮することができる。」
（５４）【発明の名称】
　波形信号形成装置
（５７）【特許請求の範囲】
　波形サンプルデータを圧縮した差分データを記憶しておいて、同記憶しておいた差分データを用いて圧縮前の波形サンプルデータを順次再現する波形信号形成装置において、
　差分データを記憶した差分データメモリと、
　差分データに基づいて復元した複数の波形サンプルデータを時系列的に記憶するための波形サンプルデータ記憶手段と、
　発生される楽音の音高に対応した位相増分値を所定のタイミング毎に累算する累算手段と、
　
上記累算手段によって累算された累算値の上位のデータが歩進される毎に、
　
上記累算手段によって累算された累算値の上位のデータが歩進される毎に、
　
上記所定のタイミング毎に、
を備えたことを特徴とする波形信号形成装置。
【発明の詳細な説明】
　【産業上の利用分野】
　本発明は、波形サンプルデータに基づいて楽音波形を再現するときにより少ない記憶容量で楽音波形を再現することが可能な波形信号形成装置に関する。
　【従来技術】
　電子楽器などにおいては、サンプリングした自然楽器の楽音を波形サンプルデータとしてメモリに記憶しておき、演奏時に同データをメモリから読み出して再現するＰＣＭ方式のものも利用されている。かかるＰＣＭ方式においては、波形サンプルデータを記憶する容量を低減させるため、初期データと差分データを記憶して波形サンプルデータを再現する線形予測法が利用されている。
　線形予測法によって波形サンプルデータを再現する装置としては、従来、特開昭６１−９０１９８号公報に示すものが知られている。同装置では、直列に接続された複数の遅延回路により、順次入力される波形サンプルデータを遅延しつつ記憶し、乗算回路によって各遅延回路に記憶されている波形サンプルデータに所定の線形予測係数を乗算するとともに、順次入力される差分データにも所定の線形予測係数を乗算し、加算回路によって各乗算結果を合算して圧縮された波形サンプルデータを再現している。
　一方、同様に波形サンプルデータを記憶する容量を低減させる方法として、サンプリングタイミング間の波形データを再現する線形補間法も利用されており、このような線形補間法によって波形データを再現する装置としては、従来、特公昭５９−１７８３８号公報に示すものが知られている。
　同装置では、波形メモリより順次波形サンプルデータを読み出しつつ同読み出した複数の波形サンプルデータに所定の線形補間係数を乗算し、各乗算結果を加算して所定の位相値に対応した波形データを再現している。
　【発明が解決しようとする課題】
　しかるに、従来の装置にあっては、線形予測法を用いて波形サンプルデータを圧縮するとともに、線形補間法を用いてさらに記憶領域を低減せしめようとすると、線形予測法に対応した装置内で複数の波形サンプルデータを記憶するとともに、線形補間法に対応した装置内でも複数の波形サンプルデータを記憶しておかなければならず、別個に同様の記憶領域を必要として記憶領域となるハードウェアの有効化をはかることができない。
　本発明は上記問題に対処するためになされたもので、その目的は、線形予測法と線形補間法とを用いて波形メモリの容量を低減せしめるときに、記憶領域の有効化をはかってハードウェアの増大を防止せしめることが可能な波形信号形成装置を提供しようとするものである。
　【課題を解決するための手段】
　上記目的を達成するために、本発明の構成上の特徴は、所定の演算によって波形サンプルデータを圧縮した差分データを記憶しておいて、同記憶しておいた差分データを用いて圧縮前の波形サンプルデータを順次再現する波形信号形成装置において、差分データを記憶した差分データメモリと、差分データに基づいて復元した複数の波形サンプルデータを時系列的に記憶するための波形サンプルデータ記憶手段と、発生される楽音の音高に対応した位相増分値を所定のタイミング毎に累算する累算手段と、
累算手段によって累算された累算値の上位のデータが歩進される毎に、
塁算手段によって累算された累算値の上位のデータが歩進される毎に、
所定のタイミング毎に
　【発明の作用及び効果】
　上記のように構成した本発明においては、累算手段に発生される楽音の音高に対応した位相増分値が与えられると、同累算手段は前記位相増分値を所定のタイミング毎に累算し、読出し制御手段は、
前記累算された累算値の上位のデータが歩進される毎に、
前記累算された累算値の上位のデータが歩進される毎に、
所定のタイミング毎に、
　このように、本発明によれば、複数の時系列的な波形サンプルデータ及び同複数の波形サンプルデータを記憶するための波形サンプルデータ記憶手段が、差分データに基づいて波形サンプルデータを復元するためと、波形サンプルデータを補間するための両方の演算に共通に利用される。したがって、ハードウェアの構成を省略することができるとともに、両演算によって最終的な波形サンプルデータが再現されるまでの時間を短縮することができる。
　【実施例】
　以下、本発明の一実施例を図面を用いて説明すると、第１図は本発明に係る波形信号形成装置を備えるとともに複数の発音チャンネルより同時に複数の楽音を発音することが可能な電子楽器をブロック図により示している。
　この電子楽器は、鍵盤の各鍵に対応して設けられた複数の鍵スイッチを備えて構成される鍵盤部１０と、音色等を選択する複数の音色等選択スイッチなどからなる操作パネル２０とを備えており、鍵盤部１０と操作パネル２０は制御信号発生部３０に接続されている。
　制御信号発生部３０は鍵盤部１０における各鍵の押鍵操作と操作パネル２０における音色等選択スイッチの操作状況を検出するものであり、押鍵された鍵に対応するキーコード信号ＫＣ、押鍵速度または押鍵圧を表すタッチ信号ＴＤ、押鍵状態を表すキーオン信号ＫＯＮ、選択された音色を表す音色信号ＴＣなどを出力する。
　キーオン信号ＫＯＮはタイミング信号発生回路４０に入力されており、同タイミング信号発生回路４０は、第２図に示すように、各押鍵に対応する楽音を発生するため、押鍵タイミングを表すキーオンパルス信号ＫＯＮＰと、キーオフされたタイミングを表すキーオフパルス信号ＫＯＦＰと、波形データの演算タイミングを表すクロック信号ＣＬＫなどの各種タイミング信号を発生する。
　キーコード信号ＫＣは、周波数ナンバ発生回路（以下、Ｆナンバ発生回路という。）５０とパラメータデータ発生回路６０とに入力されており、Ｆナンバ発生回路５０はキーコード信号ＫＣに基づいて押鍵音高に対応した位相増分値ＦＮを出力する。同位相増分値ＦＮは累算器７０に入力され、同累算器７０はタイミング信号発生回路４０から押鍵タイミングを表すキーオンパルス信号ＫＯＮＰが入力されるとそれまでの累算値をクリアし、その後、同じくタイミング信号発生回路４０が出力するクロック信号ＣＬＫの入力タイミングごとに位相増分値ＦＮを累算する。位相増分値ＦＮは「１」未満の数値であり、累算器７０は位相増分値ＦＮを順次累算して、通常時は小数位データＦＲＡＣを線形補間係数発生回路（以下、ＦＩＲ係数発生回路という。）９０に出力し、累算値が「１」の位にカウントアップされると読み出し制御回路８０にノートクロックパルスＮＣＬを出力する。
　読み出し制御回路８０は、差分データメモリ１００の読み出しアドレスＡＤを指定するものであり、パラメータデータ発生回路６０が出力するスタートアドレスＳＡをノートクロックパルスＮＣＬの入力タイミングごとにカウントアップして読み出しアドレスＡＤとする。ただし、同ノートクロックパルスＮＣＬの入力回数が所定値を越えた場合にはスタートアドレスＳＡより所定アドレス後の番地ＳＡ１より再度カウントアップして読み出しアドレスＡＤとする。本実施例では発音直後のアタック部に対応した楽音波形を一度だけ再生した後、これに続くサステイン部の楽音波形を繰り返し再生することにより、差分データメモリ１００に記憶するデータ量を低減している。
　スタートアドレスＳＡは差分データメモリ１００において音色ごとに対応して記憶されているデータ群の開始アドレスであり、パラメータデータ発生回路６０は制御信号発生部３０より入力される音色信号ＴＣに応じて、選択された音色に対応するスタートアドレスＳＡを出力する。
　本実施例では、波形データを再現するために線形予測法により波形サンプルデータを圧縮しており、かかるデータ圧縮に関する差分データを差分データメモリ１００に記憶している。
　線形予測法については公知であるので、詳しい説明は省略するが、本実施例においてはサンプリングタイミングｎにおける波形サンプルデータをＦ（ｎ）で表すとともに、波形サンプルデータＦ（ｎ−４），Ｆ（ｎ−３），Ｆ（ｎ−２），Ｆ（ｎ−１）に基づく波形サンプルデータＦ（ｎ）を予測するための差分データをＤ（ｎ）で表し、かつ、線形予測係数（以下、ＬＰＣ係数という。）をｘ１〜ｘ５とすると同差分データＤ（ｎ）は、
　Ｄ（ｎ）＝［Ｆ（ｎ）−｛ｘ４・Ｆ（ｎ−４）＋ｘ３・Ｆ（ｎ−３）＋ｘ２・Ｆ（ｎ−２）＋ｘ１・Ｆ（ｎ−１）｝］／ｘ５
で表され、予測される波形サンプルデータＦ（ｎ）は、
　Ｆ（ｎ）＝ｘ４・Ｆ（ｎ−４）＋ｘ３・Ｆ（ｎ−３）＋ｘ２・Ｆ（ｎ−２）＋ｘ１・Ｆ（ｎ−１）＋ｘ５・Ｄ（ｎ）
で表される。なお、このＬＰＣ係数ｘ１〜ｘ５は、初期データを除いて差分データメモリ１００の差分データ中に埋め込まれており、読み出し制御回路８０によって順次再生され、所定区間ごとに切り換えられて線形予測法による再生に使用される。
　具体的には、差分データの最上位ビットをＬＰＣ係数エリアとし、読み出し制御回路８０が線形予測・補間回路１１０より差分データＤ０（ｎ）を読み込むごとに最上位ビットだけを別エリアに貯え、所定数ビットになったときにＬＰＣ係数に変換する。また、このようにして最上位ビットだけを除いたデータを差分データＤ（ｎ）として線形予測・補間回路１１０に出力する。
　線形予測・補間回路１１０は、第３図に示すように、直列接続されてノートクロックパルスＮＣＬによって入力データを保持するとともに記憶データを出力するレジスタからなる遅延回路１１０ａ１〜１１０ａ４と、各遅延回路１１０ａ１〜１１０ａ４の出力に乗算係数ｘ１〜ｘ４を乗算する乗算器１１０ｂ１〜１１０ｂ４と、入力データに乗算係数ｘ５を乗算する乗算器１１０ｂ５と、乗算器１１０ｂ１〜ｂ５の乗算結果を加算して加算結果を遅延回路１１０ａ１に入力せしめる加算器１１０ｃ１と、各遅延回路１１０ａ１〜１１０ａ４の出力に乗算係数ｙ１〜ｙ４を乗算する乗算器１１０ｂ６〜１１０ｂ９と、乗算器１１０ｂ６〜１１０ｂ９の乗算結果を加算して出力データとする加算器１１０ｃ２とから構成されている。
　この線形予測・補間回路１１０には、差分データメモリ１００から読み出された差分データＤ（ｎ）とともに読み出し制御回路８０の出力するＬＰＣ係数と、ＦＩＲ係数発生回路９０の出力する線形補間係数（以下、ＦＩＲ係数という。）と、パラメータデータ発生回路６０の出力するＬＰＣ係数初期データｘ１（０）〜ｘ５（０）（図示しないセレクタにより読み出し制御回路８０の出力するＬＰＣ係数と択一的に入力されている。）とが入力されており、線形予測法による圧縮データの復元と同復元された波形サンプルデータにもとづく線形補間を行なう。なお、差分データＤ（ｎ）は乗算器１１０ｂ５に入力され、ＬＰＣ係数は各乗算器１１０ｂ１〜１１０ｂ５における乗算係数として入力され、ＦＩＲ係数は各乗算器１１０ｂ６〜１１０ｂ９における乗算係数として入力されている。
　ＦＩＲ係数を発生するＦＩＲ係数発生回路９０は、累算器７０より出力される累算値の小数位データＦＲＡＣ（０≦ＦＲＡＣ≦１）に基づいて波形サンプルデータＦ（Ｉ），Ｆ（Ｉ＋１），Ｆ（Ｉ＋２），Ｆ（Ｉ＋３）から線形補間によって波形サンプルデータＦ（Ｉ＋１＋ＦＲＡＣ）を演算するものであり、本実施例では３次補間法にて同演算を行なうために各演算係数ｙ１〜ｙ４として、
を演算して出力する。
　線形予測・補間回路１１０によって得られた波形データは乗算器１２０に入力されており、同乗算器１２０は同波形データとエンベロープ発生器１３０の出力するエンベロープデータＥＤとを乗算して楽音波形データとしてミキサ１４０に出力する。
　ここでエンベロープ発生器１３０にはパラメータデータ発生回路６０がタッチ信号ＴＤに基づいて出力するエンベロープ設定データＥＤＴ（アタックレベルＡＬとアタックレートＡＲとディケイレベルＤＬとディケイレートＤＲとを表す。）が入力されているとともに、タイミング信号発生回路４０がキーオン信号ＫＯＮに基づいて発生するキーオンパルス信号ＫＯＮＰとキーオフパルス信号ＫＯＦＰとが入力されており、キーオンパルス信号ＫＯＮＰの入力タイミングより楽音波形のアタック部とサステイン部とを表すエンベロープデータＥＤを乗算器１２０に出力するとともに、キーオフパルス信号ＫＯＦＰの入力タイミングより楽音波形のリリース部を表すエンベロープデータＥＤを乗算器１２０に出力する。
　ミキサ１４０は乗算器１２０の出力である各チャンネルの楽音波形データを合算してＤ／Ａ変換器１５０に出力し、同Ｄ／Ａ変換器１５０はディジタル値の楽音波形データをアナログ値に変換して変換後の楽音波形信号をサウンドシステム１６０に出力する。
　サウンドシステム１６０はアンプやスピーカなどからなり、入力される楽音波形信号を増幅してスピーカより楽音として再生する。
　次に、上記のように構成した本実施例の動作を説明する。
　演奏者が操作パネル２０上の図示しない電源スイッチを投入し、同操作パネル２０にて音色等選択スイッチによって楽器音を選択した後、鍵盤部１０における鍵盤によって演奏を開始したとする。
　制御信号発生部３０は、電源スイッチの投入後、操作パネル２０における各種スイッチ類の操作の有無を検出しており、上記演奏者による音色等選択スイッチによる楽器音の選択操作を検出して当該選択操作を表す音色信号ＴＣをパラメータデータ発生回路６０に出力する。一方、演奏者が鍵盤部１０におけるいずれかの鍵を押鍵して演奏を開始すると、制御信号発生部３０は発音するチャンネルを決定して所定の時分割タイミングで押鍵された鍵を表すキーコード信号ＫＣをＦナンバ発生回路５０とパラメータデータ発生回路６０に出力するとともに、押鍵中であることを表すキーオン信号ＫＯＮをタイミング信号発生回路４０に出力する。
　Ｆナンバ発生回路５０は上記入力されたキーコード信号ＫＣに対応する位相増分値ＦＮを累算器７０に出力し、累算器７０はタイミング信号発生回路４０から出力されるキーオンパルス信号ＫＯＮＰの入力時に当該発音チャンネルにおけるそれまでの累算値をクリアし、タイミング信号発生回路４０が出力する所定クロック信号ＣＬＫの入力タイミング時に各発音チャンネルごとに位相増分値ＦＮを累算する。
　パラメータデータ発生回路６０はキーオンパルス信号ＫＯＮＰが入力されると発音チャンネルと音色に対応してスタートアドレスＳＡを読み出し制御回路８０に出力するとともに、同音色に対応するＬＰＣ係数初期データｘ１（０）〜ｘ５（０）を線形予測・補間回路１１０に出力する。
　線形予測・補間回路１１０では、キーオンパルス信号ＫＯＮＰの入力時、図示しないセレクタによってパラメータデータ発生回路６０の出力するＬＰＣ係数初期データｘ１（０）〜ｘ５（０）を選択し、以後は所定区間ごとに差分データから取り出されたＬＰＣ係数ｘ１〜ｘ５を選択する。すなわち、読み出し制御回路８０からＬＰＣ係数ｘ１〜ｘ５が出力されていないときはＬＰＣ係数初期データｘ１（０）〜ｘ５（０）を選択し、読み出し制御回路８０からＬＰＣ係数ｘ１〜ｘ５が出力されたときは同ＬＰＣ係数ｘ１〜ｘ５を選択する。
　キーオンパルス信号ＫＯＮＰが出力されると、差分データメモリ１００に対する読み出しアドレスＡＤとしてスタートアドレスＳＡを出力し、差分データメモリ１００は同スタートアドレスに記憶された最初の差分データＤ（０）を出力する。従って、乗算器１１０ｂ５にてＬＰＣ係数初期データｘ５（０）を差分データＤ（０）に乗算し、加算器１１０ｃ１が乗算結果（この場合、乗算器１１０ｂ１〜１１０ｂ４の出力は「０」である。）を加算して波形サンプルデータＦ（０）を出力する。かかる演算はクロック信号ＣＬＫが出力されるごとに行なわれるが、累算器７０よりノートクロックパルスＮＣＬが出力されるまでは遅延回路１１０ａ１〜１１０ａ４における記憶データが変更されないので、波形サンプルデータＦ（０）が繰り返し演算されることになる。
　一方、累算器７０は、キーオンパルス信号ＫＯＮＰが出力されると、クロック信号ＣＬＫの入力タイミングごと位相増分値ＦＮを累算し、小数位データＦＲＡＣをＦＩＲ係数発生回路９０に出力する。
　小数位データＦＲＡＣがＦＩＲ係数発生回路９０に入力されると、同ＦＩＲ係数発生回路９０は上述した演算式に基づいてＦＩＲ係数ｙ１〜ｙ４を線形予測・補間回路１１０に出力する。従って、同ＦＩＲ係数ｙ１〜ｙ４が入力される線形予測・補間回路１１０では乗算器１１０ｂ６〜ｂ９が各係数ｙ１〜ｙ４を遅延回路１１０ａ１〜１１０ａ４の出力値に乗算し、加算器１１０ｃ２が同乗算結果を加算して各時点における波形データを補間演算によって求める。
　同波形データは乗算器１２０に入力され、同乗算器１２０がエンベロープ発生器１３０の出力するエンベロープデータと乗算する。このエンベロープデータは、パラメータデータ発生回路６０がタッチ信号ＴＤに応じて出力するエンベロープ設定データＥＤＴに基づいてエンベロープ発生器１３０がキーオンパルス信号ＫＯＮＰの入力時より発生しており、押鍵直後のアタック部と、同アタック部に続く比較的安定したサステイン部と、離鍵後のリリース部とから構成されて、波形データに所定のエンベロープを付与する。
　一方、累算器７０における累算値が「１」の位にカウントアップされると、同累算器７０はノートクロックパルスＮＣＬを出力する。これにより読み出し制御回路８０が出力する読み出しアドレスＡＤが「１」だけ加算され、差分データメモリ１００からは次なるアドレスに記憶された差分データが線形予測・補間回路１１０に入力される。線形予測・補間回路１１０ではノートクロックパルスＮＣＬが出力された時点で加算器１１０ｃ１より出力されていた波形サンプルデータＦ（０）が遅延回路１１０ａ１に取り込まれる。そして、次のクロック信号ＣＬＫが出力されたときには波形サンプルデータＦ（１）が演算され、以後、順次波形サンプルデータが求められるとともに各遅延回路１１０ａ１〜ａ３に記憶されていた波形サンプルデータが遅延回路１１０ａ２〜ａ４に取り込まれる。
　また、線形補間においても各遅延回路１１０ａ１〜１１０ａ４に記憶された波形サンプルデータとＦＩＲ係数ｙ１〜ｙ４とにもとづいて波形データが演算される。
　このようにして順次波形データが演算され、乗算器１２０にてエンベロープを付与された後、ミキサ１４０にて各発音チャンネルの波形データが加算される。そして、全発音チャンネルの波形データが加算されるとＤ／Ａ変換器１５０に入力され、アナログ値に変換されてサウンドシステム１６０より楽音が再生される。
　なお、本実施例では、複数の遅延回路を複数のレジスタで構成しているが、単一のシフトレジスタで構成することもできる。この場合、チャンネル数×遅延回路の段数とすればよい。また、乗算器についても単一のものを使用し、シフトレジスタの出力を選択して時分割で利用する構成としてもよい。
　ＦＩＲ係数発生回路は演算によってＦＩＲ係数を求めるもので構成しているが、小数位データＦＲＡＣをアドレス入力としてＦＩＲ係数が参照されるメモリで構成することもできる。
　線形予測法や線形補間法については上記実施例のものに限られず、他の演算法で求められる乗算係数とすることも可能である。
【図面の簡単な説明】
　第１図は本発明の一実施例に係る波形信号形成装置を適用した電子楽器のブロック図、第２図は同電子楽器におけるタイミング信号のタイミングチャート、第３図は線形予測補間回路の構成を示す回路図である。
　　　符号の説明
１１０ａ１〜１１０ａ４…遅延回路、１１０ｂ１〜１１０ｂ５…乗算器、１１０ｃ１…加算器、
１１０ｂ６〜１１０ｂ９…乗算器、１１０ｃ２…加算器。